(57)【要約】【課題】切妻をはじめ寄棟、方形等の建物屋根の全ての棟部に適用できる安価で施工性に優れた棟換気装置及びこれらを用いた棟換気構造を提供する。【解決手段】隅木３２の左右に設けられた垂木３３の上に、野地板３４が敷設され、また屋内からの上昇してくる換気流が通過するように隅木３２の横に開口部３５が設けられる。棟換気装置１は、開口部３５を跨ぐようにして固定される。葺設される最後の地瓦３８は、地瓦支持部７にシール材３９を介して葺設される。続いて、棟木取付部９に棟木４０を載置してビス４１で固定した後、シール材３９を用いながら棟瓦４２を葺設し、長尺ビス４１によって固定する。これによって、屋内から上昇してくる換気流は、開口部３５を通過し、棟換気装置１の換気路１４を通り抜け、続いて地瓦３７と野地板３４との間に形成される第２換気路１５を通過し、最後は地瓦間に形成される隙間４３から外部に排出される。【選択図】          図９
2004316270.tif 000002
【特許請求の範囲】
【請求項１】
換気口を有する内門型部材と換気口を有する外門型部材とが下部で取付部により一体化されるとともに、該外門型部材に地瓦支持部を設けたことを特徴とする棟換気装置。
【請求項２】
内門型部材の換気口と外門型部材の換気口とが重ならないように形成されている請求項１記載の棟換気装置。
【請求項３】
地瓦支持部にレベル調整手段が設けられている請求項１又は２記載の棟換気装置。
【請求項４】
外門部材に棟木取付部が設けられている請求項１、２又は３記載の棟換気装置。
【請求項５】
アルミ又は樹脂を押出成形したものである請求項１〜４のいずれか１項に記載の棟換気装置。
【請求項６】
略垂直に立設された支持部とその下部に設けた取付部とからなる下部材Ｘと、冠状部と該冠状部に設けた地瓦支持部とからなる上部材Ｙとを、適宜間隔を置いて接続部材Ｚで連結してなり、隣接する接続部材Ｚと接続部材Ｚとの間に形成される空間部を換気路としたことを特徴とする棟換気装置。
【請求項７】
地瓦支持部にレベル調整手段が設けられている請求項６記載の棟換気装置。
【請求項８】
上部材Ｙの冠状部に棟木取付部が設けられている請求項６又は７記載の棟換気装置。
【請求項９】
アルミ又は樹脂を押出成形したものである請求項６〜８のいずれか１項に記載の棟換気装置。
【請求項１０】
屋根下地材の開口部に、換気口を有する内門型部材と換気口を有する外門型部材とが下部で取付部により一体化され、該外門型部材に地瓦支持部を設けた棟換気装置を取り付け、前記地瓦支持部に地瓦を載置し、その上部に棟瓦を葺設してなり、地瓦と地瓦との隙間を換気路とすることを特徴する棟換気構造。
【請求項１１】
屋根下地材の開口部に、略垂直に立設された支持部とその下部に設けた取付部とからなる下部材Ｘと、冠状部と該冠状部に設けた地瓦支持部とからなる上部材Ｙとを、適宜間隔を置いて接続部材Ｚで連結してなり、隣接する接続部材Ｚと接続部材Ｚとの間に形成される空間部を換気路とした棟換気装置を取り付け、前記地瓦支持部に地瓦を載置し、その上部に棟瓦を葺設してなり、地瓦と地瓦との間隙を換気路とすることを特徴とする棟換気構造。
【発明の詳細な説明】
【０００１】
【発明の属する技術分野】
本発明は、切妻をはじめ寄棟、方形等の形状を有する建物屋根の棟部に設けられ、地瓦と地瓦との隙間から換気する棟換気装置及びこれらを用いた棟換気構造に関する。
【０００２】
【従来の技術】
従来より、棟瓦と地瓦との隙間から換気する棟換気装置としては様々の形態が提案されているが、その一例としては、特に屋根の棟部に設けられた棟換気装置が知られている。
【０００３】
例えば、図１２に示したように、垂木や野地板などからなり両流れ屋根面を形成する屋根地４６の頂部には隙間が設けられ、この隙間は、屋根裏に滞留する熱気や臭気が自然上昇力によって上昇し最初に集合して通過する屋根換気通路４７となる。そして屋根換気通路４７を跨ぐように立設させた第１換気口４８を有する補助部材４９が設けられ、さらに、この補助部材４９の外側には隙間を設けて立設すると共に、第２換気口５０が穿設され、且つ中央に棟木４０を支持する棟木支持部材５１が設けられ、これら補助部材４９及び棟木支持部材５１は屋根地４６に釘等（図示せず）によって固定される。
【０００４】
一方、屋根地４６の頂部付近には桟木３６を固定した後、この桟木３６に沿って桟瓦５２が掛止される。さらに、この桟瓦５２のうえには密封部材５３を介して第３換気口５４及び第４換気口５５を有する通路形成部材５６が釘等（図示せず）によって棟木４０に固定される。そして、この通路形成部材５６の上に棟瓦４２が載置され、長寸釘、ビス等の固定具５７によって棟木４０に固定され、更に、この棟瓦４２の裏面と通路形成部材５６との間に換気通路５８が形成される。
【０００５】
かかる構成によって、屋根地の頂部に向かって下から上昇してくる空気は矢印Ｋで示したように屋根換気通路４７を通過した後、第１、第２換気口４８、５０をジグザグに通過し、さらに換気通路５８の第３、第４換気口５４、５５を通過して排出される（気流の流れを実線矢印で示す）（例えば特許文献１）。
【０００６】
また、従来の棟換気装置の他の例としては、隅棟木又は棟木の垂木に、直接屋根地が設けられる隅棟又は棟に最適な棟換気装置を提供しようとするもので、屋根地と、この屋根地の隅棟木又は棟木の近傍に設けられた開口部と、この開口部に設けられた棟換気通路形成用の換気通路材と、前記開口部に設けられた棟換気通路に連通する換気口を有する棟換気手段と、この棟換気手段上に設けられ、第１、第２の換気口を有する通路形成部材と、この通路形成部材と通路を形成する隅棟瓦とで構成されている（例えば特許文献２）。
【０００７】
【特許文献１】
特許２９０１１８０号公報
【特許文献２】
特開平１０−２３８０４７号公報（図３、図４）
【０００８】
【発明が解決しようとする課題】
しかしながら、上記特許文献１の先の換気棟装置においては、部品点数が多く複雑な棟換気用部材を配設して形成される換気装置であるため、コストアップとなるのを避けられない。また、換気通路５８が外方に向けて開口しているため、台風等の場合には風雨が侵入し、その結果、天井にしみが発生したり、屋根地の棟部付近が腐食するという課題があった。
【０００９】
また、補助部材には第１換気口、棟木支持部材には第２換気口、更に通路形成部材には第３換気口、第４換気口と多くの換気口が設けられているが、これらは、薄手の鋼板やステンレス鋼板に、プレスやドリルにより孔明加工を施して換気口を設け、その後に組立加工を施しており、したがって、加工に手間が掛かり、コスト高とならざるを得ない。そして、一層のコスト低減を容易に実現しようとすると薄手の材料を用いることになり、これが逆に強度や耐久性の低下を招くことになる。更にまた、打抜素材のロスも大きく、これの処理の手間、コストも看過できない問題となっていた。
【００１０】
また、上記特許文献２の換気棟装置においても、前述と同様の問題が存在するのに加え、更に、隅棟木あるいは棟木上に配設されて棟換気通路を形成するための部材が別途必要となるなど、構造が複雑となり、コストアップとなるという問題を含んでいた。
【００１１】
本発明はかかる実情に鑑み、上記問題を解消し、簡単な構造で換気装置としての機能を有することは勿論のこと、切妻屋根をはじめ寄棟屋根、方形屋根等の建物屋根の全ての棟部に適用でき、且つ安価で施工性に優れた棟換気装置及びこれらを用いた棟換気構造を提供することを目的とする。
【００１２】
【課題を解決するための手段】
上記目的を達成するために、本発明の第１は、換気口を有する内門型部材と換気口を有する外門型部材とが下部で取付部により一体化されるとともに、該外門型部材に地瓦支持部を設けたことを特徴とする棟換気装置を内容とする（請求項１）。
【００１３】
好ましい態様としての請求項２は、内門型部材の換気口と外門型部材の換気口とが重ならないように形成されている請求項１記載の棟換気装置である。
【００１４】
好ましい態様としての請求項３は、地瓦支持部にレベル調整手段が設けられている請求項１又は２記載の棟換気装置である。
【００１５】
好ましい態様としての請求項４は、外門部材に棟木取付部が設けられている請求項１、２又は３記載の棟換気装置である。
【００１６】
好ましい態様としての請求項５は、アルミ又は樹脂を押出成形したものである請求項１〜４のいずれか１項に記載の棟換気装置である。
【００１７】
また、本発明の第２は、略垂直に立設された支持部とその下部に設けた取付部とからなる下部材Ｘと、冠状部と該冠状部に設けた地瓦支持部とからなる上部材Ｙとを、適宜間隔を置いて接続部材Ｚで連結してなり、隣接する接続部材Ｚと接続部材Ｚとの間に形成される空間部を換気路としたことを特徴とする棟換気装置を内容とする（請求項６）。
【００１８】
好ましい態様としての請求項７は、地瓦支持部にレベル調整手段が設けられている請求項６記載の棟換気装置である。
【００１９】
好ましい態様としての請求項８は、上部材Ｙの冠状部に棟木取付部が設けられている請求項６又は７記載の棟換気装置である。
【００２０】
好ましい態様としての請求項９は、アルミ又は樹脂を押出成形したものである請求項６〜８のいずれか１項に記載の棟換気装置である。
【００２１】
また、本発明の第３は、屋根下地材の開口部に、換気口を有する内門型部材と換気口を有する外門型部材とが下部で取付部により一体化され、該外門型部材に地瓦支持部を設けた棟換気装置を取り付け、前記地瓦支持部に地瓦を載置し、その上部に棟瓦を葺設してなり、地瓦と地瓦との隙間を換気路とすることを特徴する棟換気構造を内容とする（請求項１０）。
【００２２】
また、本発明の第４は、屋根下地材の開口部に、略垂直に立設された支持部とその下部に設けた取付部とからなる下部材Ｘと、冠状部と該冠状部に設けた地瓦支持部とからなる上部材Ｙとを、適宜間隔を置いて接続部材Ｚで連結してなり、隣接する接続部材Ｚと接続部材Ｚとの間に形成される空間部を換気路とした棟換気装置を取り付け、前記地瓦支持部に地瓦を載置し、その上部に棟瓦を葺設してなり、地瓦と地瓦との間隙を換気路とすることを特徴とする棟換気構造を内容とする（請求項１１）。
【００２３】
【作用】
本発明の棟換気装置は、換気口を有する内門型部材と換気口を有する外門型部材とが下部で取付部により一体化され、且つ該外門型部材から地瓦支持部が延設された構造からなるので、基本的には押出加工によって製造でき、内外換気口のみを後加工により穿設すればよいので、低コストで製造することが可能である。
【００２４】
前記地瓦支持部は、棟に最も近い位置に配設される地瓦の一方端を支持するもので、該地瓦と野地面との間に換気通路としての空間部を形成する。この構成によって屋根下地材の開口部から上昇する換気流は、内門型部材の換気口、外門型部材の換気口を順次通過し、続いて前記空間部を通過し、最終的には地瓦を葺設した際、自然に形成される地瓦と地瓦との隙間を通過して外部に排出される。
【００２５】
また、外門型部材の左右側に斜傾して延設された地瓦支持部に、レベル調整手段を設けることにより、ここにモルタルや漆喰、土等のシーリング部材を敷設して地瓦を配設した際、これら流動性のシーリング部材は崩落したり、はみ出したりすることが防止されると共に、地瓦の座りを安定させ密封性を確実にする。
【００２６】
さらに、略垂直に立設された支持部とその下部に設けた取付部とからなる下部材Ｘと、冠状部と該冠状部に設けた地瓦支持部とからなる上部材Ｙとを、適宜間隔を置いて接続部材Ｚで連結してなり、隣接する接続部材Ｚと接続部材Ｚとの間に形成される空間部を換気路として構成した棟換気装置は、後加工による穿設加工は不要であり、押出加工による低コスト化が実現される。
そして、この形態の棟換気装置を屋根下地材の開口部に取り付け、前記地瓦支持部に地瓦を載置した場合も、前記と同様に、地瓦を葺設した際、自然に形成される地瓦と地瓦との隙間から換気流を排出する形態の棟換気構造が実現される。
【００２７】
【発明の実施の形態】
以下、本発明の棟換気装置及びこれらを用いた棟換気構造の実施例を図面に基づいて説明するが、本発明はこれらにより何等限定されるものではない。
【００２８】
実施例１
本発明の実施例１における棟換気装置１は、図１に示すように、自然浮揚力によって上昇してくる屋内の汚染空気が通過する内換気口２を有する内門型部材３と、該内門型部材３の外側に設けられ外換気口４を有する外門型部材５とが下部で取付部６により一体化されるとともに、該外門型部材５の両側には地瓦の上端部を載置するための傾斜した地瓦支持部７を設けたことを特徴とし、また、内門型部材３の内換気口２と外門型部材５の外換気口４とは長手方向の位置が重ならないように互いにづれて形成されている。
【００２９】
かかる構成の棟換気装置１は、剛性に優れた断面を有すると共に、アルミや樹脂の押出成形加工が可能であり、これによって十分な強度が保証され、且つ大幅なコストダウンが図られる。
【００３０】
また、内門型部材３の内換気口２と外門型部材５の外換気口４とが長手方向の位置が重ならないように互いにづれて形成されていることにより、換気流の流れはジグザグ状に流れることになる。したがって、この自然排気の流れとは逆に例えば、台風等の際風雨が瞬間的に逆流して外門型部材５の外換気口４から侵入しようとしても、比重大なる雨水成分は内門型部材３の外側の壁に衝突して排除され、内換気口２から室内への侵入は阻止されると共に、気流成分は適度に減衰されて部屋までは到達することはない。
【００３１】
また、詳細については後述するが、該外門型部材５の両側に傾斜した地瓦支持部７を設けたことにより、地瓦の上端部を載置して地瓦と野地面との間に空間部を積極的に設け、この空間部を外換気口４から排出される換気流の換気路となるようにを形成することが可能となる。
【００３２】
棟換気装置１は、アルミ等の金属の他、プラスチック（ポリプロピレン樹脂、ＡＢＳ樹脂、スチレン系樹脂、塩化ビニル系樹脂、アクリル系樹脂等）の押出加工によるものが強度的、コスト的に好適である。内外の換気口２、４の開口面積は、実用上約１５０ｃｍ２／ｍ程度に設定・加工されるのが好ましい。なお、内外の換気口２、４は押出加工の後に穿設加工される。
【００３３】
実施例２
実施例２の棟換気用装置１は、図２に示すように、地瓦支持部７にレベル調整手段８を設けた形態であり、その他の部分の基本的構成は前述の実施例１の形態と同様である。このレベル調整手段８を設けたことにより、ここにモルタルや漆喰、土等のシーリング部材を敷設し、この上に地瓦を配設した際、これら流動性のシーリング部材は傾斜面に沿って崩落したり、またその先端からはみ出したりすることが防止されると共に、地瓦の座りを安定させるという効果がある。なお、本実施例では内門型部材３の内換気口２の部分の形状を図１の半円形とは異なり山形形状に成形しているが、機能の点では略同様である。
【００３４】
実施例３、４
実施例３、４の棟換気用装置１を図３、図４に示す。図３に示した形態は前述の図１に示した形態の棟換気用装置の外門型部材５の両側両端から棟木取付部９を立設させた形態であって、この棟木取付部９の間に棟木を挿設するだけでその位置決めが確実に行われ、また、棟木取付部９の左右側からビス（図示せず）等の固定手段によって容易に固定することができるので施工効率が向上する。
【００３５】
また、図４に示した形態は、前述の図２に示した形態の棟換気用装置の外門型部材５の両側両端から棟木取付部９を立設させた形態であり、図３と同様な効果が得られる。さらに、図３、図４に示した形態ではその構造的特徴により曲げに対する強度が一層強化されるので、この上に積層される棟木やモルタル、漆喰等のシーリング部材、棟瓦の重量が大であっても十分に耐えられる。
【００３６】
実施例５
実施例５の棟換気装置は、図５、図６に示すように、略垂直に立設された支持部１０とその下部に、棟換気装置１を屋根下地材（野地板）に取り付けるために該屋根下地材の勾配に沿うようにハの字状に設けた取付部６とからなる下部材Ｘと、係合突起１１Ａを有する冠状部１１と該冠状部１１の両端から下方に垂設しその両端からハの字のように延設した地瓦支持部７とからなる上部材Ｙと、係合壁１２の略中間部を接続部１３で接合したＨ形状の接続部材Ｚとを備え、接続部材Ｚは、上部材Ｙの係合突起１１Ａに間に嵌合し、且つ下部材Ｘの支持部１０と嵌合した状態で、棟の長手方向に適宜間隔を置いて連結される。
【００３７】
そして、矢示したように、隣接する接続部材Ｚと接続部材Ｚとの間に形成される空間部を利用して換気路１４が形成される。接続部材Ｚを配設する間隔は特に制限されず、所望の換気量に応じて適宜決定すればよいが、例えば、１０〜５０ｃｍ程度から選択することができる。
【００３８】
以上のように、下部材Ｘ、上部材Ｙ、接続部材Ｚからなる棟換気装置１は、部材に換気口を加工する必要がなく、また、下部材Ｘ、上部材Ｙ、接続部材Ｚのそれぞれを押出成形し組み付けることにより容易に製造できるので、大幅なコストダウンが図られる。また、下部材Ｘ及び上部材Ｙを接続部材Ｚにより嵌合してなるので、軽量なうえ機械的強度も十分である。
【００３９】
また、上部材Ｙの冠状部１１の両端から下方に垂設しその両端からハの字のように延設した地瓦支持部７の機能は、該地瓦支持部７の上に、地瓦の上端部を載置して地瓦と野地面との間に空間部を設け、この空間部を換気路１４から排出される換気流の第２換気路１５となるように形成することができる。
なお、下部材Ｘ、上部材Ｙ、接続部材Ｚは、通常カシメ加工、ビス、溶接、溶着、接着剤などにより接合されるが、煩雑さをさけるため、原則として図示しない。以下においても同様である。
【００４０】
実施例６
実施例６の棟換気用装置１は、図７に示すように、屋根材に固定される下部材Ｘと、棟瓦や棟木を固定する上部材Ｙと、これら下部材Ｘと上部材Ｙとを接続する接続部材Ｚとからなり、前記下部材Ｘには、略垂直に立設された支持部１０の外側中位部及び先端部に、後述する接続部材Ｚの各部と係合する係合片１６、１７がそれぞれ設けらると共に、立設する支持部１０の根元には係合凸部１８が設けられ、また、上部材Ｙには、その冠状部１１の左右側から傾斜した傾斜部１９とその先端から下方に垂設した壁部２０と該壁部２０の先端からハの字状に延設したレベル調整手段８を有する地瓦支持部７が設けられ、さらに、前記傾斜部１９の内側には係合部２１が設けられている。
【００４１】
そして、下部材Ｘと上部材Ｙとを接続する接続部材Ｚは、上部材Ｙの内部に水平状態で挿設される水平部２２と、該水平部２２の中心と端部の間に立設し先端に上部材Ｙの係合部２１と係合する係合部２３を有する係合壁２４と、水平部２２の中央下部に形成された略矩形状の取付部２５と、水平部２２の左右側に垂設、横設を繰り返して形成され根元に係合片２６を有する補強部２７とから形成されている。
【００４２】
かかる構成によれば、前述の実施例と同様、下部材Ｘと、上部材Ｙとを、適宜間隔を置いて接続部材Ｚで連結してなり、隣接する接続部材Ｚと接続部材Ｚとの間に形成される空間部を利用して換気路１４が形成される。また、上部材Ｙの係合部２１と接続部材Ｚの係合部２３と、下部材Ｘの係合片１７と接続部材Ｚの係合片２６とがそれぞれ係合すると共に、更に、下部材Ｘの係合凸部１８に接続部材Ｚの補強部２７の先端が、また上部材Ｙの壁部２０の内面が、接続部材Ｚの水平部２２の先端や補強部２７の屈曲部２８と接触する状態に形成されているので棟換気装置としては軽量となるうえ剛性が極めて高く、地瓦支持部７の上にモルタルや漆喰などのシール材や棟瓦を積載してもその機械的強度は十分である。
【００４３】
なお、この形態においても接続部材Ｚを配設する間隔は特に制限されないが、前述の実施例と同様、１０〜５０ｃｍ程度から選択することができる。また、下部材Ｘ、上部材Ｙ、接続部材Ｚのそれぞれを押出成形し組み付けることにより製造できるので、大幅なコストダウンが図られる。
【００４４】
実施例７
図８に示した実施例７の棟換気用部材１は、前述の実施例６で説明した上部材Ｙの上に底面部２９と該底面部２９の両端から立設した側壁部３０からなる棟木取付部３１を設けた以外は図７と同様である。該棟木取付部３１を設けたことによって、棟木の取付位置とその固定が容易にでき、施工性が一段と高まるというメリットがある。
【００４５】
以上の如く本発明の各実施例における棟換気装置は、地瓦支持部の上にその一端を載せ、地瓦と屋根下地材（野地板）との間に換気路を形成し地瓦と地瓦との隙間から換気する方式の棟換気構造に好適に用いられる。以下に、その代表例として、隅棟の棟換気構造の実施例について説明するが、大棟の棟換気構造にも適用できることは云うまでもない。
【００４６】
実施例８
図９は実施例３の図３に示した棟換気装置１を用いた形態の棟換気構造である。図９に示すように、隅木３２の左右に設けられた垂木３３の上に、屋根下地材（野地板）３４が敷設されるが、この場合、屋内からの上昇してくる換気流が通過するように隅木３２の横に開口部３５を形成すべく、野地板３４を垂木３３の勾配に沿い、斜め下方にずらして敷設している。そして、本発明の棟換気装置１は、このような両流れ屋根の左右に形成された開口部３５を跨ぐように設けられ、その取付部６が野地板３４にビス（図示せず）等によって固定される。
【００４７】
次に、野地板３４の上に桟木３６に掛止されるようにして地瓦３７が順次葺設され、最後の地瓦３８は、棟換気装置１の地瓦支持部７にシール材３９を介して葺設される。続いて、棟木取付部９に棟木４０を載置してビス４１で固定した後、シール材３９を用いながら棟瓦４２を葺設し、ビス（長尺ビス）４１によって固定すれば棟換気構造の施工が完了する。
【００４８】
かかる形態の棟換気構造によって、屋内から上昇してくる換気流は、開口部３５を通過し、棟換気装置１の換気路１４である換気口を通り抜け、続いて地瓦３７と野地板３４との間に形成される第２換気路１５を通過し、最後に葺設された地瓦３７と地瓦３８の間に形成される複数の隙間４３から外部に排出される。
【００４９】
実施例９
図１０は実施例４の図４に示した棟換気装置１を用いた形態の棟換気構造である。図１０に示すように、棟換気装置１のレベル調節手段８を有する地瓦支持部７の上に、モルタル、漆喰、粘土等を葺土材３９Ａとして載置しては地瓦３８を葺設し、さらに該地瓦３８上に同葺土材３９Ａを補充し、この上に棟瓦４２を順次葺設して棟換気構造を形成する他は前述の実施例７の場合と同様である。
この形態の棟換気構造においても、屋内から上昇する換気流は、開口部３５、換気路１４、第２換気路１５を順次通過し、最後に各地瓦間に形成される隙間４３から外部に排出される。
【００５０】
実施例１０
前述した実施例７、８における棟木の固定方法は、棟換気装置と一体的に形成された棟木取付部に棟木を取り付ける形態であった。本実施例における棟換気構造は、実施例６の図７に示した棟換気装置１を用いた形態ではあるが、棟木の固定方法は、棟木を棟換気装置１の上部材Ｙに直接固定するのではなく、棟の長手方向に適宜間隔を空けて配設される複数の棟換気装置１の間に、独立した棟木固定具４４を配設し、この棟木固定具４４に棟木４０を支持して全体的に棟換気構造を構成するものである。
【００５１】
棟木固定具は、棟木を支持して固定するものであれば特に制限されないが、好ましい一例としては、図示（上半分のみ）するように、支柱４５の上部に底面部２９とその両端より立設された側壁部３０からなる棟木取付部３１を備え、支柱４５の下部には図１や図７で示したのと同様の取付部６が野地板３４の傾斜面に沿うように形成されビスなどによって固定されるものである。
【００５２】
かかる構成において、地瓦支持部７の上に、漆喰、粘土等の葺土材３９Ａを載置し、地瓦３８を葺設し、さらに該地瓦３８上に同葺土材３９Ａを補充し、この上に棟瓦４２を順次葺設して棟換気構造を形成する点、また、屋内から上昇する換気流は、開口部３５、換気路１４、第２換気路１５を順次通過し、最後に各地瓦間に形成される隙間４３から外部に排出される点も前述の実施例９の場合と同様である。本実施例では棟木固定具４４が独立して設けられているので、棟瓦４２の形状や大きさによってその高さを自由に選択できるという効果がある。
【００５３】
【発明の効果】
叙上のように、本発明の棟換気装置及びこれらを用いた棟換気構造は、下記の特徴及び利点を有する。
棟に近い地瓦の一方端を支持する地瓦支持部を備えたことにより、地瓦と野地面との間に換気路を形成することが可能となり、屋内から上昇してくる換気流は、内門及び外門型部材の各換気口を順次通過した後、該換気路を通過し、最後に地瓦と地瓦との隙間から外部に排出することができる。
【００５４】
また、接続部材Ｚは、上部材Ｙと下部材Ｘとに嵌合した状態で、且つ棟の長手方向に適宜間隔を置いて配設され該上部材Ｙと該下部材Ｘを連結しているので、隣接する接続部材Ｚ間には換気流が通過する換気路が自然に形成される。したがって、これまでのような換気口を形成するための穿設加工が不要となり、大幅なコストダウンが図られる。
【００５５】
また、本発明の棟換気装置は、その構造・形状の特性から軽量であって、且つ機械的強度が大きく、したがって、重い棟瓦や地瓦の荷重に十分に耐えられ、近年特に要望の高い寄棟屋根の大棟、隅棟のどちらにも適用が可能である。
【図面の簡単な説明】
【図１】本発明の実施例１における棟換気装置の断面図である。
【図２】本発明の実施例２における棟換気装置の断面図である。
【図３】本発明の実施例３における棟換気装置の断面図である。
【図４】同実施例４における他の棟換気装置の断面図である。
【図５】本発明の実施例５における棟換気装置の断面図である。
【図６】同棟換気装置のＷ−Ｗ断面図である。
【図７】本発明の実施例６における棟換気装置の断面図である。
【図８】本発明の実施例７における棟換気装置の断面図である。
【図９】本発明の実施例８における棟換気構造の断面図である。
【図１０】本発明の実施例９における棟換気構造の断面図である。
【図１１】本発明の実施例１０における棟換気構造の断面図である。
【図１２】従来の棟換気構造を示す断面図である。
【符号の説明】
１  棟換気装置
２  内換気口
３  内門型部材
４  外換気口
５  外門型部材
６  取付部
７  地瓦支持部
８  レベル調整手段
９  棟木取付部
１０  支持部
１１  冠状部
１１Ａ  係合突起
１２、２４  係合壁
１３  接続部
１４  換気路
１５  第２換気路
１６、１７、２６  係合片
１８  係合凸部
１９  傾斜部
２０  壁部
２１、２３  係合部
２２  水平部
２５  矩形状の取付部
２７  補強部
２８  屈曲部
２９  底面部
３０  側壁部
３１  棟木取付部
３２  隅木
３３  垂木
３４  屋根下地材（野地板）
３５  開口部
３６  桟木
３７、３８  地瓦
３９  シール材
３９Ａ  葺土材
４０  棟木
４１  ビス
４２  棟瓦
４３  隙間
４４  棟木固定具
４５  支柱
Ｘ  下部材
Ｙ  上部材
Ｚ    接続部材
【図１】
2004316270.tif 000003
【図２】
2004316270.tif 000004
【図３】
2004316270.tif 000005
【図４】
2004316270.tif 000006
【図５】
2004316270.tif 000007
【図６】
2004316270.tif 000008
【図７】
2004316270.tif 000009
【図８】
2004316270.tif 000010
【図９】
2004316270.tif 000011
【図１０】
2004316270.tif 000012
【図１１】
2004316270.tif 000013
【図１２】
2004316270.tif 000014